(57)【特許請求の範囲】
【請求項１】
有価媒体の搬送を行う搬送部と、
前記搬送部により搬送される有価媒体に印刷を選択的に行う印刷部と、
前記印刷部により有価媒体に印刷を行うか否かの設定を行う設定手段と、
前記設定手段による設定内容に基づいて、前記搬送部による有価媒体の搬送経路を異ならせるよう当該搬送部の制御を行う制御部と、
前記搬送部における前記印刷部よりも有価媒体の搬送方向の上流側に設けられ、当該搬送部により搬送される有価媒体の表裏の判定を行う表裏判定部と、
を備え、
前記制御部は、
（ｉ）前記印刷部により有価媒体に印刷を行うことが前記設定手段により設定された場合において、前記表裏判定部により判定された有価媒体の表裏が所定のものであったときには前記印刷部により有価媒体に印刷を行い、印刷が行われた有価媒体を機体内の所定の箇所に搬送するよう前記印刷部および前記搬送部の制御を行い、
（ｉｉ）前記印刷部により有価媒体に印刷を行うことが前記設定手段により設定された場合において、前記表裏判定部により判定された有価媒体の表裏が所定のものではなかったときには前記印刷部により有価媒体に対して印刷を行わず当該有価媒体を機体外に排出するよう前記印刷部および前記搬送部の制御を行い、
（ｉｉｉ）前記印刷部により有価媒体に印刷を行わないことが前記設定手段により設定された場合において、前記表裏判定部により判定された有価媒体の表裏が所定のものではなかったときにこのことを原因として当該有価媒体を機体外に排出させることのないよう前記搬送部の制御を行う、
有価媒体処理装置。
【請求項２】
前記印刷部により有価媒体に印刷を行うことが前記設定手段により設定された場合の前記搬送部による有価媒体の搬送経路、および前記印刷部により有価媒体に印刷を行わないことが前記設定手段により設定された場合の前記搬送部による有価媒体の搬送経路をそれぞれ記憶する記憶部を更に備え、
前記制御部は、前記設定手段による設定内容に対応する、前記記憶部に記憶されている有価媒体の搬送経路に基づいて有価媒体が搬送されるよう前記搬送部の制御を行う、請求項１記載の有価媒体処理装置。
【請求項３】
前記表裏判定部は、前記搬送部における有価媒体の搬送路を挟むよう設けられた一対の表裏判定部分を含む、請求項１または２記載の有価媒体処理装置。
【請求項４】
前記印刷部による印刷内容を変更可能となっている、請求項１乃至３のいずれか一項に記載の有価媒体処理装置。
【請求項５】
前記搬送部には、当該搬送部により搬送される有価媒体に印刷が行われているか否かを判定する印刷有無判定部が設けられており、
前記制御部は、前記印刷有無判定部により有価媒体に印刷が行われていることが判定された有価媒体を計数結果に含めずに機体外に排出するよう前記搬送部の制御を行う、請求項１乃至４のいずれか一項に記載の有価媒体処理装置。
【請求項６】
前記搬送部には、当該搬送部により搬送される有価媒体の一部が欠損しているか否かを判定する欠損判定部が設けられており、
前記制御部は、欠損判定部により一部が欠損していることが判定された有価媒体を計数結果に含めずに機体外に排出するよう前記搬送部の制御を行う、請求項１乃至５のいずれか一項に記載の有価媒体処理装置。
【請求項７】
商品券を含む有価媒体の搬送を行う搬送部と、
前記搬送部により搬送される有価媒体のうち商品券に印刷を選択的に行う印刷部と、
前記印刷部により商品券に印刷を行うか否かの設定を行う設定手段と、
前記設定手段による設定内容に基づいて、前記搬送部による商品券の搬送経路を異ならせるよう当該搬送部の制御を行う制御部と、
前記搬送部における前記印刷部よりも有価媒体の搬送方向の上流側に設けられ、当該搬送部により搬送される有価媒体の表裏の判定を行う表裏判定部と、
を備え、
前記制御部は、
（ｉ）前記印刷部により商品券に印刷を行うことが前記設定手段により設定された場合において、前記表裏判定部により判定された商品券の表裏が所定のものであったときには前記印刷部により商品券に印刷を行い、印刷が行われた商品券を機体内の所定の箇所に搬送するよう前記印刷部および前記搬送部の制御を行い、
（ｉｉ）前記印刷部により商品券に印刷を行うことが前記設定手段により設定された場合において、前記表裏判定部により判定された商品券の表裏が所定のものではなかったときには前記印刷部により商品券に対して印刷を行わず当該商品券を機体外に排出するよう前記印刷部および前記搬送部の制御を行い、
（ｉｉｉ）前記印刷部により商品券に印刷を行わないことが前記設定手段により設定された場合において、前記表裏判定部により判定された商品券の表裏が所定のものではなかったときにこのことを原因として当該商品券を機体外に排出させることのないよう前記搬送部の制御を行う、
有価媒体処理装置。
【請求項８】
有価媒体の搬送を行う搬送部、前記搬送部により搬送される有価媒体に印刷を選択的に行う印刷部および前記搬送部における前記印刷部よりも有価媒体の搬送方向の上流側に設けられ、当該搬送部により搬送される有価媒体の表裏の判定を行う表裏判定部を有する有価媒体処理装置と、
前記有価媒体処理装置とは別に設けられ、当該有価媒体処理装置の管理を行う管理装置と、
を備えた有価媒体処理システムであって、
前記有価媒体処理装置において前記印刷部により有価媒体に印刷を行うか否かの設定を行う設定手段と、
前記設定手段による設定内容に基づいて、前記有価媒体処理装置における前記搬送部による有価媒体の搬送経路を異ならせるよう当該搬送部の制御を行う制御部と、
を備え、
前記制御部は、
（ｉ）前記有価媒体処理装置において前記印刷部により有価媒体に印刷を行うことが前記設定手段により設定された場合において、前記表裏判定部により判定された有価媒体の表裏が所定のものであったときには前記印刷部により有価媒体に印刷を行い、印刷が行われた有価媒体を機体内の所定の箇所に搬送するよう前記印刷部および前記搬送部の制御を行い、
（ｉｉ）前記有価媒体処理装置において前記印刷部により有価媒体に印刷を行うことが前記設定手段により設定された場合において、前記表裏判定部により判定された有価媒体の表裏が所定のものではなかったときには前記印刷部により有価媒体に対して印刷を行わず当該有価媒体を機体外に排出するよう前記印刷部および前記搬送部の制御を行い、
（ｉｉｉ）前記有価媒体処理装置において前記印刷部により有価媒体に印刷を行わないことが前記設定手段により設定された場合において、前記表裏判定部により判定された有価媒体の表裏が所定のものではなかったときにこのことを原因として当該有価媒体を機体外に排出させることのないよう前記搬送部の制御を行う、
有価媒体処理システム。
【請求項９】
前記設定手段および前記制御部のうち少なくとも一方は前記管理装置に設けられている、請求項８記載の有価媒体処理システム。
【請求項１０】
印刷部により有価媒体に印刷を行うか否かの設定を設定手段により予め行う工程と、
搬送部により有価媒体の搬送を行う工程と、
前記搬送部により搬送される有価媒体の表裏の判定を表裏判定部により行う工程と、
前記搬送部により搬送される有価媒体に印刷を選択的に行う工程と、
を備え、
（ｉ）前記印刷部により有価媒体に印刷を行うことが前記設定手段により設定された場合において、前記表裏判定部により判定された有価媒体の表裏が所定のものであったときには前記印刷部により有価媒体に印刷を行い、印刷が行われた有価媒体を機体内の所定の箇所に搬送し、（ｉｉ）前記印刷部により有価媒体に印刷を行うことが前記設定手段により設定された場合において、前記表裏判定部により判定された有価媒体の表裏が所定のものではなかったときには前記印刷部により有価媒体に対して印刷を行わず当該有価媒体を機体外に排出し、（ｉｉｉ）前記印刷部により有価媒体に印刷を行わないことが前記設定手段により設定された場合において、前記表裏判定部により判定された有価媒体の表裏が所定のものではなかったときにこのことを原因として当該有価媒体を機体外に排出させることのないよう、前記設定手段による設定内容に基づいて、前記搬送部による有価媒体の搬送経路を異ならせる、有価媒体処理方法。
【発明の詳細な説明】
【技術分野】
【０００１】
本発明は、商品券等の有価媒体の処理を行う有価媒体処理装置、このような有価媒体処理装置を備えた有価媒体処理システムおよびこのような有価媒体処理装置による有価媒体処理方法に関する。
【背景技術】
【０００２】
レジ釣銭機等から回収された商品券や小切手等の商品券類シートが入金される商品券類処理機において、商品券類処理機の機体内に投入されて識別部により識別された商品券類シートに対してインクローラにより使用済み印（消し込み印）が印字されるものが知られている（例えば、特許文献１参照）。このような商品券類処理機を用いた場合には、当該商品券類処理機により処理された商品券類シートにおいて視覚的にも使用済みであることを明示することで、その後は商品券類シートを商品券類処理機の管理側で廃棄可能としている。また、誤って、あるいは不正使用を目的として、使用済みの商品券類シートが持ち込まれても、使用済みであることが明らかなので、取引に使用される可能性は低い。
【先行技術文献】
【特許文献】
【０００３】
【特許文献１】特許第５１２４３０９号公報
【発明の概要】
【発明が解決しようとする課題】
【０００４】
しかしながら、特許文献１に開示されるような従来の商品券類処理機では、商品券類シートにおける券番号が記載された面とは反対側の面に消し込み印を印字する必要があるため、商品券類処理機の外部から機体内に商品券類シートを投入する際に当該商品券類シートの表裏や向きを一定方向に揃えなければならず、手間がかかるという問題があった。また、商品券類処理機に投入される商品券類シートの表裏や向きが誤っている場合には、商品券類シートにおける券番号が記載された面に消し込み印が印字されてしまい、この券番号を読み取ることが困難になってしまうおそれがあった。一方、商品券類処理機に投入される商品券類シートに対して消し込み印の印字を行わないような運用がなされる場合には、商品券類処理機に投入される商品券類シートの表裏や向きに関わらず当該商品券類シートを機体内に収納させることが望ましい。
【０００５】
本発明は、このような点を考慮してなされたものであり、投入される有価媒体に対して消し込みの印刷を行うような運用がなされる場合、および投入される有価媒体に対して消し込みの印刷を行わないような運用がなされる場合の両方において有価媒体をそれぞれ所望の箇所に搬送することができ、よって有価媒体を処理する際の作業性を向上させることができる有価媒体処理装置、有価媒体処理システムおよび有価媒体処理方法を提供することを目的とする。
【課題を解決するための手段】
【０００６】
本発明の有価媒体処理装置は、有価媒体の搬送を行う搬送部と、前記搬送部により搬送される有価媒体に印刷を選択的に行う印刷部と、前記印刷部により有価媒体に印刷を行うか否かの設定を行う設定手段と、前記設定手段による設定内容に基づいて、前記搬送部による有価媒体の搬送経路を異ならせるよう当該搬送部の制御を行う制御部と、前記搬送部における前記印刷部よりも有価媒体の搬送方向の上流側に設けられ、当該搬送部により搬送される有価媒体の表裏の判定を行う表裏判定部と、を備え、前記制御部は、（ｉ）前記印刷部により有価媒体に印刷を行うことが前記設定手段により設定された場合において、前記表裏判定部により判定された有価媒体の表裏が所定のものであったときには前記印刷部により有価媒体に印刷を行い、印刷が行われた有価媒体を機体内の所定の箇所に搬送するよう前記印刷部および前記搬送部の制御を行い、（ｉｉ）前記印刷部により有価媒体に印刷を行うことが前記設定手段により設定された場合において、前記表裏判定部により判定された有価媒体の表裏が所定のものではなかったときには前記印刷部により有価媒体に対して印刷を行わず当該有価媒体を機体外に排出するよう前記印刷部および前記搬送部の制御を行い、（ｉｉｉ）前記印刷部により有価媒体に印刷を行わないことが前記設定手段により設定された場合において、前記表裏判定部により判定された有価媒体の表裏が所定のものではなかったときにこのことを原因として当該有価媒体を機体外に排出させることのないよう前記搬送部の制御を行うことを特徴とする。
【０００７】
このような有価媒体処理装置によれば、印刷部により有価媒体に印刷を行うか否かの設定内容に基づいて、搬送部による有価媒体の搬送経路を異ならせることにより、投入される有価媒体に対して消し込みの印刷を行うような運用がなされる場合、および投入される有価媒体に対して消し込みの印刷を行わないような運用がなされる場合の両方において有価媒体をそれぞれ所望の箇所に搬送することができ、よって有価媒体を処理する際の作業性を向上させることができる。
【０００８】
本発明の有価媒体処理装置は、前記印刷部により有価媒体に印刷を行うことが前記設定手段により設定された場合の前記搬送部による有価媒体の搬送経路、および前記印刷部により有価媒体に印刷を行わないことが前記設定手段により設定された場合の前記搬送部による有価媒体の搬送経路をそれぞれ記憶する記憶部を更に備え、前記制御部は、前記設定手段による設定内容に対応する、前記記憶部に記憶されている有価媒体の搬送経路に基づいて有価媒体が搬送されるよう前記搬送部の制御を行うようになっていてもよい。
【００１２】
本発明の有価媒体処理装置においては、前記表裏判定部は、前記搬送部における有価媒体の搬送路を挟むよう設けられた一対の表裏判定部分を含んでいてもよい。
【００１３】
本発明の有価媒体処理装置においては、前記印刷部による印刷内容を変更可能となっていてもよい。
【００１４】
本発明の有価媒体処理装置においては、前記搬送部には、当該搬送部により搬送される有価媒体に印刷が行われているか否かを判定する印刷有無判定部が設けられており、前記制御部は、前記印刷有無判定部により有価媒体に印刷が行われていることが判定された有価媒体を計数結果に含めずに機体外に排出するよう前記搬送部の制御を行うようになっていてもよい。
【００１５】
本発明の有価媒体処理装置においては、前記搬送部には、当該搬送部により搬送される有価媒体の一部が欠損しているか否かを判定する欠損判定部が設けられており、前記制御部は、欠損判定部により一部が欠損していることが判定された有価媒体を計数結果に含めずに機体外に排出するよう前記搬送部の制御を行うようになっていてもよい。
また、本発明の有価媒体処理装置は、商品券を含む有価媒体の搬送を行う搬送部と、前記搬送部により搬送される有価媒体のうち商品券に印刷を選択的に行う印刷部と、前記印刷部により商品券に印刷を行うか否かの設定を行う設定手段と、前記設定手段による設定内容に基づいて、前記搬送部による商品券の搬送経路を異ならせるよう当該搬送部の制御を行う制御部と、前記搬送部における前記印刷部よりも有価媒体の搬送方向の上流側に設けられ、当該搬送部により搬送される有価媒体の表裏の判定を行う表裏判定部と、を備え、前記制御部は、（ｉ）前記印刷部により商品券に印刷を行うことが前記設定手段により設定された場合において、前記表裏判定部により判定された商品券の表裏が所定のものであったときには前記印刷部により商品券に印刷を行い、印刷が行われた商品券を機体内の所定の箇所に搬送するよう前記印刷部および前記搬送部の制御を行い、（ｉｉ）前記印刷部により商品券に印刷を行うことが前記設定手段により設定された場合において、前記表裏判定部により判定された商品券の表裏が所定のものではなかったときには前記印刷部により商品券に対して印刷を行わず当該商品券を機体外に排出するよう前記印刷部および前記搬送部の制御を行い、（ｉｉｉ）前記印刷部により商品券に印刷を行わないことが前記設定手段により設定された場合において、前記表裏判定部により判定された商品券の表裏が所定のものではなかったときにこのことを原因として当該商品券を機体外に排出させることのないよう前記搬送部の制御を行う、有価媒体処理装置であってもよい。
【００１６】
本発明の有価媒体処理システムは、有価媒体の搬送を行う搬送部、前記搬送部により搬送される有価媒体に印刷を選択的に行う印刷部および前記搬送部における前記印刷部よりも有価媒体の搬送方向の上流側に設けられ、当該搬送部により搬送される有価媒体の表裏の判定を行う表裏判定部を有する有価媒体処理装置と、前記有価媒体処理装置とは別に設けられ、当該有価媒体処理装置の管理を行う管理装置と、を備えた有価媒体処理システムであって、前記有価媒体処理装置において前記印刷部により有価媒体に印刷を行うか否かの設定を行う設定手段と、前記設定手段による設定内容に基づいて、前記有価媒体処理装置における前記搬送部による有価媒体の搬送経路を異ならせるよう当該搬送部の制御を行う制御部と、を備え、前記制御部は、（ｉ）前記有価媒体処理装置において前記印刷部により有価媒体に印刷を行うことが前記設定手段により設定された場合において、前記表裏判定部により判定された有価媒体の表裏が所定のものであったときには前記印刷部により有価媒体に印刷を行い、印刷が行われた有価媒体を機体内の所定の箇所に搬送するよう前記印刷部および前記搬送部の制御を行い、（ｉｉ）前記有価媒体処理装置において前記印刷部により有価媒体に印刷を行うことが前記設定手段により設定された場合において、前記表裏判定部により判定された有価媒体の表裏が所定のものではなかったときには前記印刷部により有価媒体に対して印刷を行わず当該有価媒体を機体外に排出するよう前記印刷部および前記搬送部の制御を行い、（ｉｉｉ）前記有価媒体処理装置において前記印刷部により有価媒体に印刷を行わないことが前記設定手段により設定された場合において、前記表裏判定部により判定された有価媒体の表裏が所定のものではなかったときにこのことを原因として当該有価媒体を機体外に排出させることのないよう前記搬送部の制御を行うことを特徴とする。
【００１７】
このような有価媒体処理システムによれば、印刷部により有価媒体に印刷を行うか否かの設定内容に基づいて、有価媒体処理装置において搬送部による有価媒体の搬送経路を異ならせることにより、投入される有価媒体に対して消し込みの印刷を行うような運用がなされる場合、および投入される有価媒体に対して消し込みの印刷を行わないような運用がなされる場合の両方において有価媒体をそれぞれ所望の箇所に搬送することができ、よって有価媒体処理装置で有価媒体を処理する際の作業性を向上させることができる。
【００１８】
本発明の有価媒体処理システムにおいては、前記設定手段および前記制御部のうち少なくとも一方は前記管理装置に設けられていてもよい。
【００１９】
本発明の有価媒体処理方法は、印刷部により有価媒体に印刷を行うか否かの設定を設定手段により予め行う工程と、搬送部により有価媒体の搬送を行う工程と、前記搬送部により搬送される有価媒体の表裏の判定を表裏判定部により行う工程と、前記搬送部により搬送される有価媒体に印刷を選択的に行う工程と、を備え、（ｉ）前記印刷部により有価媒体に印刷を行うことが前記設定手段により設定された場合において、前記表裏判定部により判定された有価媒体の表裏が所定のものであったときには前記印刷部により有価媒体に印刷を行い、印刷が行われた有価媒体を機体内の所定の箇所に搬送し、（ｉｉ）前記印刷部により有価媒体に印刷を行うことが前記設定手段により設定された場合において、前記表裏判定部により判定された有価媒体の表裏が所定のものではなかったときには前記印刷部により有価媒体に対して印刷を行わず当該有価媒体を機体外に排出し、（ｉｉｉ）前記印刷部により有価媒体に印刷を行わないことが前記設定手段により設定された場合において、前記表裏判定部により判定された有価媒体の表裏が所定のものではなかったときにこのことを原因として当該有価媒体を機体外に排出させることのないよう、前記設定手段による設定内容に基づいて、前記搬送部による有価媒体の搬送経路を異ならせることを特徴とする。
【００２０】
このような有価媒体処理方法によれば、印刷部により有価媒体に印刷を行うか否かの設定を設定手段により予め行い、設定手段による設定内容に基づいて、搬送部による有価媒体の搬送経路を異ならせることにより、投入される有価媒体に対して消し込みの印刷を行うような運用がなされる場合、および投入される有価媒体に対して消し込みの印刷を行わないような運用がなされる場合の両方において有価媒体をそれぞれ所望の箇所に搬送することができ、よって有価媒体を処理する際の作業性を向上させることができる。
【発明の効果】
【００２１】
本発明の制御部有価媒体処理装置、有価媒体処理システムおよび有価媒体処理方法によれば、投入される有価媒体に対して消し込みの印刷を行うような運用がなされる場合、および投入される有価媒体に対して消し込みの印刷を行わないような運用がなされる場合の両方において有価媒体をそれぞれ所望の箇所に搬送することができ、よって有価媒体を処理する際の作業性を向上させることができる。
【図面の簡単な説明】
【００２２】
【図１】本発明の実施の形態における有価媒体処理装置の外観を示す斜視図である。
【図２】図１に示す有価媒体処理装置の内部構成を模式的に示す構成図である。
【図３】図１等に示す有価媒体処理装置の制御系の構成を示す機能ブロック図である。
【図４】図１等に示す有価媒体処理装置による紙葉類の入金処理方法を示すフローチャートである。
【図５】（ａ）は、本発明の実施の形態における有価媒体処理装置の印刷部により商品券に印刷された消し込み印刷の内容を示す図であり、（ｂ）は、従来の有価媒体処理装置の印刷部により商品券に印刷された消し込み印刷の内容を示す図である。
【発明を実施するための形態】
【００２３】
以下、図面を参照して本発明の実施の形態について説明する。図１乃至図５は、本実施の形態による有価媒体処理装置やこのような有価媒体処理装置による有価媒体処理方法を示す図である。このうち、図１は、本実施の形態における有価媒体処理装置の外観を示す斜視図であり、図２は、図１に示す有価媒体処理装置の内部構成を模式的に示す構成図である。また、図３は、図１等に示す有価媒体処理装置の制御系の構成を示す機能ブロック図であり、図４は、図１等に示す有価媒体処理装置による紙葉類の入金処理方法を示すフローチャートである。また、図５（ａ）は、本実施の形態における有価媒体処理装置の印刷部により商品券に印刷された消し込み印刷の内容を示す図である。なお、図５（ｂ）は、従来の有価媒体処理装置の印刷部により商品券に印刷された消し込み印刷の内容を示す図である。
【００２４】
コンビニエンスストアやスーパーマーケット等の商業施設の店舗において、顧客が立ち入ることができるフロント領域には様々な商品が陳列された商品棚が設置されているとともに、このフロント領域の精算所にはレジ釣銭機やＰＯＳレジスタが設置されている。顧客がこのような精算所で精算処理を行う際に、店員は、顧客から受け取った商品の代金としての貨幣をレジ釣銭機に入金したり、釣銭としての貨幣をレジ釣銭機から出金して顧客に返却したりするようになっている。また、ＰＯＳレジスタにより、顧客が購入した商品に係る情報やレジ釣銭機に収納されている貨幣に係る情報等の管理が行われるようになっている。また、精算所において店員が顧客から商品の代金として貨幣の代わりに商品券を受け取った場合には、店員は顧客から受け取った商品券を収納ドロア等に手動で収納させる。また、このような店舗における顧客の立ち入りが禁止されたバックヤード領域（具体的には、例えば入金室）には、レジ釣銭機から回収された売上金としての貨幣を入金する売上入金機が設置されている。また、このような売上入金機がショッピングセンターに設置される場合には、フロント領域の精算所に設置されたレジ釣銭機から回収された売上金としての貨幣に加えて、ショッピングセンター内の各テナントから持ち込まれた売上金としての貨幣が当該売上入金機に入金されるようになる。売上入金機に入金された売上金としての貨幣は、警送会社の収集担当者により回収されて当該警送会社の管理センターに運搬されるようになっている。本実施の形態では、このような売上入金機として、紙幣および硬貨に加えて商品券等を含む有価媒体の処理を一つの装置で行うような有価媒体処理装置１が用いられるようになっている。
【００２５】
本実施の形態による有価媒体処理装置１において、識別部２０（後述）により正常に識別された紙幣や商品券は、当該有価媒体処理装置１の紙葉類収納部５３、５４（後述）に収納されるようになるが、汚れや破れが原因で識別部２０により正常に識別されなかった紙幣や商品券は、リジェクト部として機能する第１の集積部４１（後述）からリジェクト券として有価媒体処理装置１の筐体２の外部に排出される。その場合、有価媒体処理装置１で入金処理を行った入金担当者とは別の担当者が、有価媒体処理装置１から排出された紙幣や商品券をバックヤード領域における入金室から出納室に運搬する。そして、出納室の係員は、入金室から出納室に運搬された紙幣や商品券の情報を、出納室に設置されている流通統合ターミナルを使って入力する。ここで、有価媒体処理装置１に入金された紙幣は警送会社の収集担当者によって当該有価媒体処理装置１の筐体２内から紙葉類収納部５３、５４ごと回収され、当該警送会社の管理センターに運搬される。また、入金室から出納室に運搬されてその情報が流通統合ターミナルで入力された紙幣も警送会社の収集担当者によって回収され、当該警送会社の管理センターに運搬される。一方、有価媒体処理装置１に入金された商品券や、入金室から出納室に運搬されてその情報が流通統合ターミナルで入力された商品券は、出納室に設けられた段ボール箱等に収納されて数ヶ月間保管され、その後、商品券は段ボール箱ごと廃棄される。また、有価媒体処理装置１の識別部２０による紙幣や商品券の識別結果に係る情報は流通統合ターミナルに送信されるようになっており、当該流通統合ターミナルにおいて紙幣や商品券の情報の管理が行われるようになっている。また、流通統合ターミナルにより管理される紙幣や商品券の情報は上位サーバに送信されるようになっている。また、上位サーバは商品券の発行元と通信可能に接続されており、有価媒体処理装置１に入金された商品券や、流通統合ターミナルを使ってその情報が入力された商品券の金額が、商品券の発行元等により、銀行等の金融機関における店舗の口座に入金されるようになる。
【００２６】
次に、本実施の形態による有価媒体処理装置１の構成の概略について図１乃至図３を用いて説明する。図１および図２に示すように、本実施の形態による有価媒体処理装置１は略直方体形状の筐体２を有しており、この筐体２内には、紙幣や商品券等の紙葉類の処理を行う紙葉類処理ユニットおよび硬貨の処理を行う硬貨処理ユニットがそれぞれ設けられている。また、有価媒体処理装置１の前面下部には下部扉４が設けられており、この下部扉４を開くことにより、筐体２内に収容された紙葉類収納部５３、５４（後述）や硬貨収納部９３、９４（後述）を筐体２の外部に引き出すことができるようになっている。
【００２７】
図１および図２に示すように、本実施の形態による有価媒体処理装置１は、紙葉類処理ユニットとして、紙幣や商品券を含む紙葉類が投入される投入部１０と、投入された紙葉類の各々の真偽および金種や券種を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの紙葉類収納部５３、５４とを備えている。
【００２８】
投入部１０は、紙葉類ホッパとして構成されており、投入された紙葉類（紙幣／商品券）を受け入れて１枚ずつ繰出するようになっている。また、投入部１０には、当該投入部１０に残留する紙葉類を検知するための残留検知センサ（図示せず）が設けられている。
【００２９】
識別部２０は、搬送分類機構３０により搬送される紙葉類を表側および裏側から挟むよう設けられた一対のイメージセンサ２０ａ、２０ｂを有しており、これらのイメージセンサ２０ａ、２０ｂにより紙葉類の表側および裏側の各々の画像を取得するようになっている。また、識別部２０は、一対のイメージセンサ２０ａ、２０ｂにより取得された紙葉類の表側および裏側の各々の画像に基づいて、紙幣／商品券の区別の他、各紙幣の真偽および金種や、各商品券の種別等を識別するようになっている。なお、商品券の種別の識別とは、当該店舗（およびそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券の区別等である。そして、有効な商品券については金額を特定することができる。
【００３０】
また、識別部２０は、一対のイメージセンサ２０ａ、２０ｂにより取得された紙葉類の表側および裏側の各々の画像に基づいて、紙幣や商品券の表裏を判定するようになっている。このように、識別部２０は、搬送分類機構３０により搬送される紙葉類の表裏を判定する表裏判定部２１ａ（図３参照）を含むようになっている。また、この場合、識別部２０における一対のイメージセンサ２０ａ、２０ｂは、搬送分類機構３０における紙葉類の搬送路を挟むよう設けられた一対の表裏判定部分として機能するようになる。
【００３１】
また、搬送分類機構３０により搬送される商品券に既に消し込み印刷が行われている場合には、識別部２０は、一対のイメージセンサ２０ａ、２０ｂにより取得された紙葉類の表側および裏側の各々の画像に基づいて、商品券に消し込み印刷が行われていると判定するようになっている。このように、識別部２０は、搬送分類機構３０により搬送される商品券に消し込み印刷が行われているか否かを判定する印刷有無判定部２１ｂ（図３参照）を含むようになっている。また、識別部２０は、一対のイメージセンサ２０ａ、２０ｂにより取得された紙葉類の表側および裏側の各々の画像に基づいて、搬送分類機構３０により搬送される商品券の一部が欠損しているか否かを判定するようになっている。具体的には、フロント領域の精算所において店員が顧客から受け取った商品券がいわゆるもぎり券であり、操作者によって当該商品券の一部（例えば、隅部）が手動で切り取られることによりこの商品券が使用済のものとなっている場合には、本実施の形態による有価媒体処理装置１にその一部が切り取られた商品券が投入されたときに、識別部２０により当該商品券の一部が欠損していることが判定されるようになる。このように、識別部２０は、搬送分類機構３０により搬送される商品券の一部が欠損しているか否かを判定する欠損判定部２１ｃ（図３参照）を含むようになっている。なお、本実施の形態では、識別部２０は表裏判定部２１ａ、印刷有無判定部２１ｂおよび欠損判定部２１ｃの全てを含むものに限定されることはない。本実施の形態における識別部２０において、印刷有無判定部２１ｂまたは欠損判定部２１ｃが設けられていなくてもよく、あるいは印刷有無判定部２１ｂおよび欠損判定部２１ｃの両方が設けられていなくてもよい。
【００３２】
搬送分類機構３０は、紙葉類を搬送する搬送ベルト機構３５と、搬送路を切り換えるための３つの切換機構３１〜３３と、これらの搬送ベルト機構３５や３つの切換機構３１〜３３を制御する紙葉類制御部３６とを有している。そして、紙葉類制御部３６が識別部２０による識別結果に基づいて３つの切換機構３１〜３３を制御することによって、識別された紙葉類をそれぞれ対応する４つの集積部４１〜４４に分類して搬送するようになっている。
【００３３】
第１の集積部４１は、リジェクト部として構成されており、リジェクト対象の紙葉類が集積されるようになっている。第１の集積部４１（リジェクト部）は、常時外部に開放されており、常時外部からリジェクト対象の紙葉類を取り出し可能となっている。
【００３４】
第２の集積部４２は、スタッカ部として構成されており、１００枚程度までの紙葉類が集積されるようになっている。第２の集積部４２（スタッカ部）には、開閉可能なシャッタ４２ｓが設けられており、シャッタ４２ｓの開放時に外部から紙葉類を取り出し可能となっている。より詳細には、シャッタ４２ｓは電磁ロック部（図示せず）によりロックされており、当該電磁ロック部によるロックが解除されたときに操作者はシャッタ４２ｓを開くことができるようになっている。もっとも、シャッタ４２ｓの設置を省略することも可能である。その場合は、第１の集積部４１（リジェクト部）と同様に、常時外部からアクセス可能（紙葉類を取り出し可能）となる。
【００３５】
第３の集積部４３および第４の集積部４４は、それぞれ入金一時保留部として構成されており、１００枚程度の紙葉類が集積されるようになっている。そして、有価媒体処理装置１の操作者による承認の後には、入金一時保留部としての各集積部４３、４４の底面が開放されるようになっており、これらの集積部４３、４４に一時保留されていた紙葉類が対応する紙葉類収納部５３、５４に送り込まれるようになっている。また、有価媒体処理装置１の操作者によって非承認とされた後には、各集積部４３、４４に一時保留されていた紙葉類を有価媒体処理装置１の前方から取り出し可能となっている。より詳細には、図１に示すように、第３の集積部４３の前面には返却扉６が設けられており、当該返却扉６を開くことにより第３の集積部４３から紙葉類を筐体２の外部に取り出すことができるようになる。ここで、返却扉６は電磁ロック部（図示せず）によりロックされており、当該電磁ロック部によるロックが解除されたときに操作者は返却扉６を開いて第３の集積部４３から紙葉類を筐体２の外部に取り出すことができるようになる。また、図１および図２に示すように、第１の集積部４１、第２の集積部４２および第３の集積部４３は、筐体２から横方向に回動可能な回動部８に設けられており、当該回動部８を筐体２から横方向に回動させてこの回動部８を第４の集積部４４の前方から退避させることによりこの第４の集積部４４から紙葉類を筐体２の外部に取り出すことができるようになる。ここで、回動部８は電磁ロック部（図示せず）によりロックされており、当該電磁ロック部によるロックが解除されたときに操作者は回動部８を筐体２から横方向に回動させて第４の集積部４４から紙葉類を筐体２の外部に取り出すことができるようになる。
【００３６】
また、各集積部４１〜４４には、それぞれ、これらの集積部４１〜４４に紙葉類が集積されているときに当該紙葉類を検知するための残留検知センサ（図示せず）が設けられている。
【００３７】
２つの紙葉類収納部５３、５４は、２つの集積部４３、４４に対応して設けられており、紙葉類を収納可能なカセットから構成されている。各カセットは、収納された紙葉類の回収条件（例えば、回収作業者の権限等）を個別に設定可能となっており、設定された回収条件が満たされた場合にのみ有価媒体処理装置１の筐体２の外部からアクセス可能（すなわち、紙葉類を取り出し可能）となっている。
【００３８】
例えば、２つの紙葉類収納部５３、５４の少なくとも一つに対して設定される回収条件は、有価媒体処理装置１が設置される店舗（の操作者）が紙葉類の回収を許可されているという条件とされ、２つの紙葉類収納部５３、５４の少なくとも他の一つに対して設定される回収条件は、紙葉類の回収業務を委託される警送会社が紙葉類の回収を許可されているという条件とされ得る。このように回収条件が設定されることにより、店舗自身による回収作業と、警送会社による回収作業とを、それぞれ個別に設定して管理することが可能である。
【００３９】
本実施の形態による有価媒体処理装置１では、各紙葉類収納部５３、５４への有価媒体処理装置１の筐体２の外側からのアクセスを制限する構成として、図２および図３に示すように、公知のロック機構６３、６４、９７と、これらのロック機構６３、６４、９７を制御するロック制御部６５とが用いられるようになっている。ロック制御部６５には、ターミナル７０に内蔵された全体制御部７３を介してＩＣカードリーダ７１が接続されており、店舗所属の操作者が保有するＩＣカードをＩＣカードリーダ７１が読み取ったときに、店舗が紙葉類の回収を許可されていると判断し、そのような回収条件が設定されている紙葉類収納部５３、５４に対するアクセスが解放される。具体的には、ロック機構９７によるロックが解除されることにより下部ユニットが引き出し可能となり、さらにロック機構６３、６４によるロックが解除されることにより、紙葉類収納部５３、５４が筐体２の外部へ取出し可能となる。一方、警送会社の収集担当者が保有するＩＣカードをＩＣカードリーダ７１が読み取ったときに、当該警送会社が紙葉類の回収を許可されていると判断し、そのような回収条件が設定されている紙葉類収納部５３、５４に対するアクセスが解放される。具体的には、ロック機構９７によるロックが解除されることにより下部ユニットが引き出し可能となり、さらにロック機構６３、６４によるロックが解除されることにより、紙葉類収納部５３、５４が筐体２の外部へ取出し可能となる。そして、ロック機構６３、６４によるロックが解除された状態で下部扉４を開くことにより、店舗所属の操作者あるいは警送会社の収集担当者は、回収権限が設定された紙葉類収納部５３、５４を筐体２の外部に取り出すことができるようになる。
【００４０】
ターミナル７０には、全体制御部７３およびＩＣカードリーダ７１に加えて、タッチパネル等で構成された操作表示部７２が設けられている。操作表示部７２は、操作ガイダンスや入金処理時の取引データ等を表示するとともに、操作者の指示入力を受け付けるようになっている。
【００４１】
また、本実施の形態による有価媒体処理装置１の搬送分類機構３０において、紙葉類の搬送方向における識別部２０の下流側には、商品券を無効化するための消し込みの印刷を行う印刷部７５が設けられている。印刷部７５は例えばインクジェットプリンタから構成されており、様々な印刷パターンにより商品券に対して消し込みの印刷を行うことができるようになっている。印刷部７５は、有価媒体処理装置１の操作面に近接する位置に配置されており、筐体２のカバー（図示せず）を開放することにより、インクカートリッジの交換を容易に行うことができる。
【００４２】
ここで、本実施の形態による有価媒体処理装置１では、印刷部７５による消し込みの印刷内容を変更可能となっている。このことについて図５を用いて説明する。なお、図５（ａ）は、本実施の形態における有価媒体処理装置１の印刷部７５により商品券に印刷された消し込み印刷の内容を示す図であり、図５（ｂ）は、従来の有価媒体処理装置の印刷部により商品券に印刷された消し込み印刷の内容を示す図である。従来の有価媒体処理装置では、印刷部として例えばインクローラが用いられ、図５（ｂ）に示すように、このようなインクローラにより商品券に対して消し込みの印刷として「回収済」という文字しか押印することができなかった。これに対して、本実施の形態による有価媒体処理装置１では、印刷部７５として例えばインクジェットプリンタが用いられ、図５（ａ）に示すように、このようなインクジェットプリンタにより商品券に対して消し込みの印刷として「回収済」という文字を印刷することに加えて、有価媒体処理装置１に商品券が投入された日時や有価媒体処理装置１が設置された店舗の店番号、有価媒体処理装置１に投入される商品券の回収元であるレジ番号、あるいは有価媒体処理装置１に商品券が投入された順番に係る通番等の情報を商品券に印刷することができるようになる。このことにより、有価媒体処理装置１における商品券の入金処理において違算が生じた場合に、商品券に印刷された日時や店番号、レジ番号、通番等の情報を確認することにより、違算の原因となる商品券の追跡を容易に行うことができるようになる。
【００４３】
また、本実施の形態による有価媒体処理装置１では、図示しないカメラ等によって有価媒体処理装置１に商品券を投入した操作者の顔等の撮像を行うことができるようになっていてもよく、この場合には、印刷部７５により商品券に対して「回収済」という文字を印刷することに加えて、有価媒体処理装置１に商品券を投入した操作者の顔等の画像を商品券に印刷したり、あるいは当該画像に基づいて判別される操作者の年齢や性別等の情報を商品券に印刷したりするようになっていてもよい。
【００４４】
また、図３に示すように、本実施の形態による有価媒体処理装置１の各構成部材の制御を行う全体制御部７３には、印刷部７５により商品券に対して消し込みの印刷を行うか否かの設定を行う設定手段７７が接続されている。設定手段７７は、操作者によって操作表示部７２により入力された指令に基づいて、印刷部７５により商品券に対して消し込みの印刷を行うか否かの設定を行うようになっている。また、本実施の形態では、設定手段７７による設定内容に基づいて、搬送分類機構３０による商品券の搬送経路を異ならせるよう全体制御部７３は搬送分類機構３０の制御を行うようになっている。このような技術的事項の詳細については後述する。
【００４５】
また、本実施の形態による有価媒体処理装置１は、硬貨処理ユニットとして、硬貨が投入される硬貨投入部８０と、投入された硬貨の各々を識別する硬貨識別部８２と、識別された硬貨を搬送しながら３種別に分類する硬貨搬送分類機構８４と、分類された硬貨が一時的に集積される３つの硬貨集積部８６、８８、９０と、３つの硬貨集積部８６、８８、９０の一部である２つの硬貨集積部８８、９０にそれぞれ対応して設けられた２つの硬貨収納部９３、９４とを備えている。
【００４６】
硬貨投入部８０は硬貨ホッパとして構成されており、投入された硬貨を受け入れて１枚ずつ繰り出すようになっている。また、硬貨識別部８２は磁気センサ等を有しており、硬貨の真偽の区別の他、各硬貨の金種を識別するようになっている。また、硬貨搬送分類機構８４は、硬貨制御部９８によって制御されるソレノイド付き選別部材を有する強制選別機構によって構成されており、選別された硬貨を３つの硬貨集積部８６、８８、９０に分類して搬送するようになっている。ここで、硬貨搬送分類機構８４は、振り分ける硬貨の種別を任意に設定できるようになっている。
【００４７】
第１の硬貨集積部８６は、リジェクト部として構成されており、リジェクト対象の硬貨が集積されるようになっている。第１の硬貨集積部８６（リジェクト部）に集積された硬貨は、常時外部から取り出し可能となっている。また、第２の硬貨集積部８８および第３の硬貨集積部９０は、それぞれ入金一時保留部として構成されており、それぞれに１００枚程度までの硬貨が集積されるようになっている。そして、有価媒体処理装置１の操作者による承認の後には、入金一時保留部の枠体が移動されるようになっており、一時保留されていた硬貨が対応する硬貨収納部９３、９４に送り込まれるようになっている。また、有価媒体処理装置１の操作者によって非承認とされた後には、入金一時保留部の底板が退避し、一時保留されていた硬貨が当該入金一時保留部の下方の硬貨返却箱９１、９２に送り込まれ、当該硬貨返却箱９１、９２が筐体２外へ引き出されることにより硬貨が取り出し可能となっている。
【００４８】
２つの硬貨収納部９３、９４は、２つの硬貨集積部８８、９０に対応して設けられており、硬貨を収納可能なカセットから構成されている。各硬貨カセットは、収納された硬貨の回収条件（例えば、回収作業者の権限等）を個別に設定可能となっており、設定された回収条件が満たされた場合にのみ有価媒体処理装置１の筐体２の外側へ取り出し可能となっている。
【００４９】
例えば、２つの硬貨収納部９３、９４の少なくとも一つに対して設定される回収条件は、有価媒体処理装置１が設置される店舗（の操作者）が硬貨の回収を許可されているという条件とされ、２つの硬貨収納部９３、９４の少なくとも他の一つに対して設定される回収条件は、硬貨の回収業務を委託される警送会社が硬貨の回収を許可されているという条件とされ得る。このように回収条件が設定されることにより、店舗自身による回収作業と、警送会社による回収作業とを、それぞれ個別に設定して管理することが可能である。
【００５０】
各硬貨収納部９３、９４への有価媒体処理装置１の筐体２の外側からのアクセスを制限する構成として、図２および図３に示すように、公知のロック機構９５、９６、９７と、これらのロック機構９５、９６、９７を制御するロック制御部６５とが用いられるようになっている。前述のように、ロック制御部６５にはＩＣカードリーダ７１が接続されており、店舗所属の操作者が所有するＩＣカードをＩＣカードリーダ７１が読み取ったときに、店舗が硬貨の回収を許可されていると判断し、そのような回収条件が設定されている硬貨収納部９３、９４に対するアクセスが解放される。具体的には、ロック機構９７によるロックが解除されることにより下部ユニットが引き出し可能となり、さらにロック機構９５、９６によるロックが解除されることにより、硬貨収納部９３、９４を筐体２の外部へ取出し可能となる。一方、警送会社の収集担当者が所有するＩＣカードをＩＣカードリーダ７１が読み取ったときに、警送会社が硬貨の回収を許可されていると判断し、そのような回収条件が設定されている硬貨収納部９３、９４に対するアクセスが解放される。具体的には、ロック機構９７によるロックが解除されることにより下部ユニットが引き出し可能となり、さらにロック機構９５、９６によるロックが解除されることにより、硬貨収納部９３、９４を筐体２の外部へ取出し可能となる。そして、ロック機構９５、９６によるロックが解除された状態で下部扉４を開くことにより、店舗所属の操作者あるいは警送会社の収集担当者は、回収権限が設定された硬貨収納部９３、９４を筐体２の外部に取り出すことができるようになる。
【００５１】
以上のように、本実施の形態による有価媒体処理装置１では、ロック制御部６５は、５つのロック機構６３、６４、９５、９６、９７を制御するようになっている。
【００５２】
また、本実施の形態による有価媒体処理装置１には、識別された紙葉類ないし硬貨の各集積部４１〜４４ないし各硬貨集積部８６、８８、９０への分類条件（分類パターン）を記憶しておく記憶部７４がターミナル７０内に設けられている。記憶部７４に記憶された分類条件は、搬送分類機構３０による紙葉類の搬送ないし分類を制御するための紙葉類制御部３６、および硬貨搬送分類機構８４による硬貨の搬送ないし分類を制御するための硬貨制御部９８によって適時に読み出されるようになっている。
【００５３】
また、記憶部７４は、各紙葉類収納部５３、５４および各硬貨収納部９３、９４に対して設定される回収条件（例えば、回収作業者の権限等）も記憶するようになっており、各紙葉類収納部５３、５４および各硬貨収納部９３、９４への有価媒体処理装置１の筐体２の外側からのアクセスの制限／許容を判別して制御するためにロック制御部６５に適時に読み出されるようになっている。
【００５４】
また、記憶部７４は、識別部２０による紙葉類の識別のための詳細情報（例えば、識別処理に用いる辞書データ等）を記憶しており、識別部２０に適時に読み出されるようになっている。
【００５５】
また、記憶部７４は、印刷部７５により商品券に消し込みの印刷を行うことが設定手段７７により設定された場合の搬送分類機構３０による商品券の搬送経路、および印刷部７５により商品券に消し込みの印刷を行わないことが設定手段７７により設定された場合の搬送分類機構３０による商品券の搬送経路をそれぞれ記憶するようになっている。そして、全体制御部７３は、設定手段７７による設定内容に対応する、記憶部７４に記憶されている商品券の搬送経路に基づいて商品券が搬送されるよう搬送分類機構３０の制御を行うようになっている。具体的には、印刷部７５により消し込みの印刷を行うことが設定手段７７により設定された場合において、識別部２０による商品券の識別結果に基づく当該商品券の表裏が所定のものであったときには印刷部７５により当該商品券に対して消し込みの印刷を行うとともに消し込みの印刷が行われた商品券を入金一時保留部としての各集積部４３、４４に送るようにする。そして、投入部１０に投入された紙葉類が全て有価媒体処理装置１の機体内に繰り出された後、操作者によって操作表示部７２により承認入力が行われると、集積部４３、４４に一時保留されていた商品券が対応する紙葉類収納部５３、５４に送り込まれて収納される。一方、印刷部７５により消し込みの印刷を行うことが設定手段７７により設定された場合において、識別部２０による商品券の識別結果に基づく当該商品券の表裏が所定のものではなかったときには印刷部７５により当該商品券に対して消し込みの印刷を行わずこの商品券をリジェクト部としての集積部４１に送るようにする。このことにより、操作者はリジェクト部としての集積部４１から当該商品券を有価媒体処理装置１の筐体２の外部に取り出すことができるようになる。また、印刷部７５により消し込みの印刷を行わないことが設定手段７７により設定された場合には、全体制御部７３は、識別部２０による商品券の識別結果に基づく当該商品券の表裏が所定のものではなかったときにこのことを原因として当該商品券をリジェクト部としての集積部４１に送ることのないよう搬送分類機構３０を制御する。上述したような、印刷部７５により商品券に消し込みの印刷を行うことが設定手段７７により設定された場合の商品券の処理方法、および印刷部７５により商品券に消し込みの印刷を行わないことが設定手段７７により設定された場合の商品券の処理方法の詳細については後述する。
【００５６】
また、本実施の形態による有価媒体処理装置１には、入金処理時の取引データや、締め時／回収時等における集計データをプリントアウトするプリンタ装置７６が設けられている。
【００５７】
さらに、本実施の形態による有価媒体処理装置１には、外部機器（具体的には、流通統合ターミナル）と通信可能であり、当該流通統合ターミナルから識別情報や分類条件（分類パターン）を取得したり、入金結果等を流通統合ターミナルに送信可能な通信インターフェース部７８が設けられている。
【００５８】
次に、このような構成からなる有価媒体処理装置１による紙幣や硬貨、商品券等の有価媒体の処理方法、具体的には有価媒体の入金方法について以下に説明する。なお、以下に示すような有価媒体処理装置１の動作は、全体制御部７３が紙葉類制御部３６や硬貨制御部９８を介して有価媒体処理装置１の各構成部材の制御を行うことにより行われるようになっている。また、本実施の形態の有価媒体処理装置１による硬貨の入金処理方法については本発明の原理と直接的な関係がないためその説明を省略する。
【００５９】
本実施の形態の有価媒体処理装置１による紙葉類の入金処理方法について図４に示すフローチャートを用いて説明する。
【００６０】
有価媒体処理装置１が待機状態となっているときに操作者が携帯するＩＣカードをＩＣカードリーダ７１により読み取らせると、操作者の特定または回収元であるレジ等の特定が行われる。操作者等の特定が行われた後、紙幣および商品券のうちどちらの処理を行うかを操作者は操作表示部７２により設定する（ＳＴＥＰ１）。紙幣および商品券のうちどちらの処理を行うかが設定された後、操作者が投入部１０に紙葉類を投入すると（ＳＴＥＰ２の「ＹＥＳ」）、投入部１０から紙葉類が１枚ずつ有価媒体処理装置１の機体内に繰り出され（ＳＴＥＰ３）、搬送分類機構３０により搬送される紙葉類は識別部２０により識別される（ＳＴＥＰ４）。なお、印刷部７５により商品券に消し込みの印刷を行うことが設定手段７７により設定されている場合には、操作者は商品券における券番号が記載された側の面が上になるように商品券を揃えた後、当該商品券を投入部１０に投入する。操作者が誤って、商品券における券番号が記載された側の面が下になるように当該商品券を投入部１０に投入してしまった場合には、印刷部７５により、商品券における券番号が記載された側の面に消し込みの印刷が行われてしまい、商品券の券番号を読み取ることが困難になってしまうからである。また、識別部２０により紙葉類が識別される際に、当該紙葉類の表裏が表裏判定部２１ａにより判定されるとともに、紙葉類（具体的には、商品券）に消し込みの印刷が既に行われているか否かが印刷有無判定部２１ｂにより判定される。また、識別部２０により紙葉類が識別される際に、当該紙葉類（具体的には、商品券）の一部が欠損しているか否かが欠損判定部２１ｃにより判定される。
【００６１】
投入部１０により有価媒体処理装置１の機体内に繰り出され、識別部２０により識別された紙葉類が正常な商品券であり、かつ商品券の処理を行うことが設定されている場合において（ＳＴＥＰ５の「ＹＥＳ」）、印刷部７５により商品券に消し込みの印刷を行うことが設定手段７７により設定されているときには（ＳＴＥＰ６の「ＹＥＳ」）、表裏判定部２１ａにより判定される商品券の表裏によって、識別部２０を通過した商品券の処理方法が異なるようになる。具体的には、識別部２０により識別された商品券の表裏の向きが所定の向きである場合には（より詳細には、商品券における券番号が記載された側の面と、印刷部７５により消し込みの印刷が行われる商品券の面とが異なるようになる場合には）（ＳＴＥＰ７の「ＹＥＳ」）、当該商品券の計数データ（種類別の入金枚数、合計金額等）がレジ毎に加算される（ＳＴＥＰ８）。また、この場合には、印刷部７５により当該商品券に対して消し込みの印刷が行われる（ＳＴＥＰ９）。また、印刷部７５を通過した商品券は、記憶部７４に記憶された搬送収納先に係る情報に基づいて、対応する集積部４３、４４へ振り分けられる（ＳＴＥＰ１０）。例えば、印刷部７５により消し込みの印刷が行われた商品券は入金一時保留部としての第４の集積部４４に振り分けられる。
【００６２】
一方、印刷部７５により商品券に消し込みの印刷を行うことが設定手段７７により設定されているときに（ＳＴＥＰ６の「ＹＥＳ」）、操作者により投入部１０に投入された商品券の表裏の向きに誤りがあり、識別部２０により識別された商品券の表裏の向きが所定の向きではない場合には（より詳細には、商品券における券番号が記載された側の面と、印刷部７５により消し込みの印刷が行われる商品券の面とが同じとなってしまう場合には）（ＳＴＥＰ７の「ＮＯ」）、このような商品券に対して印刷部７５により消し込みの印刷を行わず、当該商品券をリジェクト部としての第１の集積部４１に搬送する（ＳＴＥＰ１１）。このことにより、操作者はリジェクト部としての第１の集積部４１から商品券を取り出すことができるようになり、当該操作者は商品券の表裏の向きを正しい向きに揃えた後に投入部１０に再投入することができるようになる。
【００６３】
また、識別部２０により識別された紙葉類が正常な商品券であり、かつ商品券の処理を行うことが設定されている場合において（ＳＴＥＰ５の「ＹＥＳ」）、印刷部７５により商品券に消し込みの印刷を行わないことが設定手段７７により設定されているときには（ＳＴＥＰ６の「ＮＯ」）、表裏判定部２１ａにより判定される商品券の表裏に関係なく、当該商品券の計数データ（種類別の入金枚数、合計金額等）がレジ毎に加算される（ＳＴＥＰ８）。また、この場合には、印刷部７５により当該商品券に対して消し込みの印刷が行われる（ＳＴＥＰ９）。また、印刷部７５を通過した商品券は、記憶部７４に記憶された搬送収納先に係る情報に基づいて、対応する集積部４３、４４へ振り分けられる（ＳＴＥＰ１０）。このように、印刷部７５により商品券に消し込みの印刷を行わないことが設定手段７７により設定されているときには、表裏判定部２１ａにより判定された商品券の表裏が所定のものではなかったときにこのことを原因として当該商品券を機体外に排出させることのないよう（具体的には、リジェクト部としての第１の集積部４１に送ることのないよう）、搬送分類機構３０の制御が行われる。
【００６４】
また、識別部２０により識別された紙葉類が正常な紙幣であり、かつ紙幣の処理を行うことが設定されている場合には（ＳＴＥＰ５の「ＮＯ」およびＳＴＥＰ１２の「ＹＥＳ」）、当該紙幣の計数データ（金種別の入金枚数、合計金額等）がレジ毎に加算される（ＳＴＥＰ１３）。なお、識別部２０により識別された紙葉類の種類が紙幣であるときには、印刷部７５により当該紙幣に対して消し込みの印刷は行われない。また、識別部２０により識別された紙幣は、記憶部７４に記憶された搬送収納先に係る情報に基づいて、対応する集積部４３、４４へ振り分けられる（ＳＴＥＰ１４）。例えば、識別部２０により正常に識別された紙幣は入金一時保留部としての第３の集積部４３に振り分けられる。
【００６５】
また、識別部２０により識別された紙葉類が正常な紙幣や商品券ではなかったり、紙幣の処理を行うことが設定されているにもかかわらず識別部２０により識別された紙葉類が商品券であったり、あるいは商品券の処理を行うことが設定されているにもかかわらず識別部２０により識別された紙葉類が紙幣であったりした場合には（ＳＴＥＰ５の「ＮＯ」およびＳＴＥＰ１２の「ＮＯ」）、このような紙葉類はリジェクト券として扱われるようになる。この場合には、リジェクト券の計数データは加算されることなく、また、印刷部７５により当該リジェクト券に対して消し込みの印刷が行われることなく、リジェクト部としての集積部４１に送られるようになる（ＳＴＥＰ１５）。例えば、識別部２０により識別された商品券に既に消し込みの印刷が行われていることが印刷有無判定部２１ｂにより判定された場合には、当該商品券は使用済のものとして有価媒体処理装置１の機体内に収納されることなくリジェクト部としての集積部４１に送られる。また、識別部２０により識別された商品券の一部が欠損していることが欠損判定部２１ｃにより判定された場合には、操作者によって当該商品券の一部（例えば、隅部）が手動で切り取られることによりこの商品券が使用済のものであると考えられるため、当該商品券は有価媒体処理装置１の機体内に収納されることなくリジェクト部としての集積部４１に送られる。
【００６６】
投入部１０に紙葉類が残っている場合には（ＳＴＥＰ１６の「ＹＥＳ」）、図４のＳＴＥＰ３〜ＳＴＥＰ１５に示す動作が繰り返し行われるようになる。一方、投入部１０に投入された紙葉類が全て有価媒体処理装置１の機体内に繰り出された後（ＳＴＥＰ１６の「ＮＯ」）、操作者によって操作表示部７２により承認入力が行われると（ＳＴＥＰ１７の「ＹＥＳ」）、集積部４３、４４に一時保留されていた紙葉類が対応する紙葉類収納部５３、５４に送り込まれて収納される（ＳＴＥＰ１８）。このことにより、例えば、識別部２０により正常に識別された紙幣は紙葉類収納部５３に収納され、また、識別部２０により正常に識別された商品券は紙葉類収納部５４に収納される。また、操作者によって操作表示部７２により承認入力が行われたときに、第２の集積部４２に設けられたシャッタ４２ｓの電磁ロックが解除されるようになっていてもよい。この場合には、操作者はシャッタ４２ｓを開いて第２の集積部４２にアクセスすることができるようになる。一方、操作者によって操作表示部７２により承認入力が行われず代わりに返却入力が行われると（ＳＴＥＰ１７の「ＮＯ」）、各集積部４３、４４に一時保留されていた紙葉類を有価媒体処理装置１の前方から取り出し可能となる（ＳＴＥＰ１９）。このようにして、有価媒体処理装置１における一連の紙葉類の入金処理が完了する。
【００６７】
以上のような構成からなる本実施の形態の有価媒体処理装置１およびこのような有価媒体処理装置１による有価媒体処理方法によれば、搬送分類機構３０により搬送される有価媒体（具体的には、商品券）に消し込みの印刷を選択的に行う印刷部７５が設けられているとともに、設定手段７７により、印刷部７５により有価媒体に印刷を行うか否かの設定が行われるようになっており、全体制御部７３は、設定手段７７による設定内容に基づいて、搬送分類機構３０による有価媒体の搬送経路を異ならせるよう当該搬送分類機構３０の制御を行うようになっている。このように、印刷部７５により有価媒体に印刷を行うか否かの設定内容に基づいて、搬送分類機構３０による有価媒体の搬送経路を異ならせることにより、投入される有価媒体に対して消し込みの印刷を行うような運用がなされる場合、および投入される有価媒体に対して消し込みの印刷を行わないような運用がなされる場合の両方において有価媒体をそれぞれ所望の箇所に搬送することができ、よって有価媒体を処理する際の作業性を向上させることができる。
【００６８】
より詳細に説明すると、従来技術の有価媒体処理装置では、機体内に投入された商品券等の有価媒体に消し込みの印刷を行うにあたり、商品券等の有価媒体における券番号が記載された面とは反対側の面に消し込みの印刷を行う必要があるため、投入部に有価媒体を投入する際に当該有価媒体の表裏や向きを一定方向に揃えなければならず、手間がかかるという問題があった。また、従来技術の有価媒体処理装置では、投入部に投入される商品券等の有価媒体の表裏や向きが誤っている場合には、有価媒体における券番号が記載された面に消し込みの印刷が行われてしまい、この券番号を読み取ることが困難になってしまうおそれがあった。一方、有価媒体処理装置に投入される商品券等の有価媒体に対して消し込みの印刷を行わないような運用がなされる場合には、有価媒体処理装置に投入される有価媒体の表裏や向きに関わらず当該有価媒体を機体内に収納させることが望ましい。これに対して、本実施の形態による有価媒体処理装置１では、投入される有価媒体に対して消し込みの印刷を行うような運用がなされる場合、および投入される有価媒体に対して消し込みの印刷を行わないような運用がなされる場合で有価媒体の搬送経路を異ならせるようにすることによって、上述したような従来技術の有価媒体処理装置の問題を解決することができるようになる。
【００６９】
また、本実施の形態の有価媒体処理装置１においては、上述したように、記憶部７４は、印刷部７５により有価媒体に印刷を行うことが設定手段７７により設定された場合の搬送分類機構３０による有価媒体の搬送経路、および印刷部７５により有価媒体に印刷を行わないことが設定手段７７により設定された場合の搬送分類機構３０による有価媒体の搬送経路をそれぞれ記憶するようになっており、全体制御部７３は、設定手段７７による設定内容に対応する、記憶部７４に記憶されている有価媒体の搬送経路に基づいて有価媒体が搬送されるよう搬送分類機構３０の制御を行うようになっている。
【００７０】
具体的には、搬送分類機構３０における印刷部７５よりも有価媒体の搬送方向の上流側には、当該搬送分類機構３０により搬送される有価媒体の表裏の判定を行う表裏判定部２１ａを含む識別部２０が設けられており、全体制御部７３は、印刷部７５により有価媒体に印刷を行うことが設定手段７７により設定された場合において、表裏判定部２１ａにより判定された有価媒体の表裏が所定のものであったときには印刷部７５により有価媒体に対して印刷を行い、表裏判定部２１ａにより判定された有価媒体の表裏が所定のものではなかったときには印刷部７５により有価媒体に対して印刷を行わず当該有価媒体を機体外に排出するよう（具体的には、リジェクト部としての第１の集積部４１に送るよう）、印刷部７５および搬送分類機構３０の制御を行うようになっている。このことにより、投入部１０に投入される商品券等の有価媒体の表裏や向きが誤っており、有価媒体における券番号が記載された側の面と、印刷部７５により消し込みの印刷が行われる有価媒体の面とが同じとなってしまうことが表裏判定部２１ａにより判定された場合には、表裏判定部２１ａにより判定された有価媒体の表裏が所定のものではないとして、印刷部７５により当該有価媒体に対して印刷を行わずこの有価媒体を機体外に排出させることにより、有価媒体における券番号が記載された面に消し込みの印刷が行われてしまうことを防止することができるようになる。
【００７１】
また、全体制御部７３は、印刷部７５により有価媒体に印刷を行うことが設定手段７７により設定された場合において、表裏判定部２１ａにより判定された有価媒体の表裏が所定のものであったときには印刷部７５により有価媒体の印刷を行うとともに印刷が行われた有価媒体を機体内の所定の箇所（具体的には、入金一時保留部としての各集積部４３、４４Ｈ）に搬送するよう印刷部７５および搬送分類機構３０の制御を行うようになっている。
【００７２】
また、全体制御部７３は、印刷部７５により有価媒体に印刷を行わないことが設定手段７７により設定された場合において、表裏判定部２１ａにより判定された有価媒体の表裏が所定のものではなかったときにこのことを原因として当該有価媒体を機体外に排出させることのないよう搬送分類機構３０の制御を行うようになっている。このように、印刷部７５により有価媒体に印刷を行わないことが設定手段７７により設定された場合には、投入部１０に投入された商品券等の有価媒体における券番号が記載された面が有価媒体の表裏におけるどちらの面であっても問題ないため、投入部１０に投入された商品券等の有価媒体の表裏の向きを考慮する必要はなく、また、表裏判定部２１ａにより判定された有価媒体の表裏が所定のものではなかったことを原因として当該有価媒体をリジェクト部としての第１の集積部４１に送る必要もない。
【００７３】
また、本実施の形態の有価媒体処理装置１においては、上述したように、表裏判定部２１ａは、搬送分類機構３０における有価媒体の搬送路を挟むよう設けられた一対の表裏判定部分（具体的には、一対のイメージセンサ２０ａ、２０ｂ）を含んでいる。このことにより、識別部２０において有価媒体の表裏の判定を確実に行うことができるようになる。
【００７４】
また、本実施の形態の有価媒体処理装置１においては、上述したように、印刷部７５による印刷内容を変更可能となっている。この場合には、印刷部７５により商品券に消し込みの印刷を行う際に、有価媒体処理装置１に商品券が投入された日時や店番号、レジ番号、通番等の情報を商品券に印刷することにより、有価媒体処理装置１における商品券の入金処理において違算が生じた場合に、違算の原因となる商品券の追跡を容易に行うことができるようになる。
【００７５】
また、本実施の形態の有価媒体処理装置１においては、上述したように、搬送分類機構３０に設けられた識別部２０には、当該搬送分類機構３０により搬送される有価媒体に印刷が行われているか否かを判定する印刷有無判定部２１ｂが含まれており、全体制御部７３は、印刷有無判定部２１ｂにより有価媒体に消し込みの印刷が行われていることが判定された有価媒体を計数結果に含めずに機体外に排出するよう搬送分類機構３０の制御を行うようになっている。この場合には、有価媒体処理装置１において商品券等の有価媒体の入金処理を行う際に、消し込みの印刷が行われた使用済の商品券等の有価媒体が有価媒体処理装置１の機体内に収納されてしまうことを防止することができるようになる。
【００７６】
また、本実施の形態の有価媒体処理装置１においては、上述したように、搬送分類機構３０に設けられた識別部２０には、当該搬送分類機構３０により搬送される有価媒体の一部が欠損しているか否かを判定する欠損判定部２１ｃが含まれており、全体制御部７３は、欠損判定部２１ｃにより一部が欠損していることが判定された有価媒体を計数結果に含めずに機体外に排出するよう搬送分類機構３０の制御を行うようになっている。この場合には、有価媒体処理装置１において商品券等の有価媒体の入金処理を行う際に、その一部が切り取られた使用済の商品券等の有価媒体が有価媒体処理装置１の機体内に収納されてしまうことを防止することができるようになる。
【００７７】
なお、本発明による有価媒体処理装置１やこのような有価媒体処理装置１による有価媒体処理方法は、上述したような態様に限定されることはなく、様々な変更を加えることができる。
【００７８】
例えば、本実施の形態の有価媒体処理装置１に通信可能に接続された流通統合ターミナルが、有価媒体処理装置１の管理を行う管理装置として用いられるようになっていてもよい。この場合には、有価媒体処理装置１および流通統合ターミナルを組み合わせることにより本発明に係る有価媒体処理システムが構成されるようになる。このような有価媒体処理システムにおいては、有価媒体処理装置１において印刷部７５により有価媒体に消し込みの印刷を行うか否かの設定を行う設定手段、および設定手段による設定内容に基づいて、有価媒体処理装置１における搬送分類機構３０による有価媒体の搬送経路を異ならせるよう当該搬送分類機構３０の制御を行う制御部が全て有価媒体処理装置１に設けられることに限定されることはない。上記の設定手段および制御部のうちいずれか一方、あるいは設定手段および制御部の両方が有価媒体処理装置１ではなく管理装置としての流通統合ターミナルに設けられるようになっていてもよい。
【００７９】
また、上記の説明では、本発明に係る有価媒体処理装置として、硬貨、紙幣および商品券の入金処理を行うことができるものが用いられる例について述べたが、本発明に係る有価媒体処理装置はこのような例に限定されることはない。本発明に係る有価媒体処理装置として、紙幣および商品券のみの入金処理または入出金処理を行うことができるもの、あるいは商品券のみの入金処理または入出金処理を行うことができるものが用いられてもよい。
【符号の説明】
【００８０】
１      有価媒体処理装置
２      筐体
４      下部扉
６      返却扉
８      回動部
１０    投入部
２０    識別部
２０ａ、２０ｂ  イメージセンサ
２１ａ  表裏判定部
２１ｂ  印刷有無判定部
２１ｃ  欠損判定部
３０    搬送分類機構
３１、３２、３３  切換機構
３５    搬送ベルト機構
３６    紙葉類制御部
４１    第１の集積部
４２    第２の集積部
４２ｓ  シャッタ
４３    第３の集積部
４４    第４の集積部
５３、５４  紙葉類収納部
６３、６４  ロック機構
６５    ロック制御部
７０    ターミナル
７１    ＩＣカードリーダ
７２    操作表示部
７３    全体制御部
７４    記憶部
７５    印刷部
７６    プリンタ装置
７７    設定手段
７８    通信インターフェース部
８０    硬貨投入部
８２    硬貨識別部
８４    硬貨搬送分類機構
８６    第１の硬貨集積部
８８    第２の硬貨集積部
９０    第３の硬貨集積部
９１、９２  硬貨返却箱
９３、９４  硬貨収納部
９５、９６、９７  ロック機構
９８    硬貨制御部
【図１】
0006602588.tif 000002
【図２】
0006602588.tif 000003
【図３】
0006602588.tif 000004
【図４】
0006602588.tif 000005
【図５】
0006602588.tif 000006